(57)【要約】      （修正有）【課題】電池駆動可能な画像処理装置の利用性の向上を図りつつ省電力を向上させる画像処理装置を提供する。【解決手段】複合装置１は、外部電力部５１が、外部から供給される外部電源電力Ｇｐから複合装置１内で利用する内部電源電力Ｎｐを生成し、蓄電電力部５２が、内蔵する蓄電池の蓄電する蓄電電力から内部電源電力Ｎｐを生成する。電力モード切替制御部５４が、照度検出部５５の検出する周囲環境の照度を閾値照度と比較して、電力モード切替部５３に、複合装置１に供給する内部電源電力Ｎｐの電力モードを、切り替えさせる。機能制御部５６は、複合装置１の使用環境に基づいて、電力モード切替制御部５４による照度に基づく電力モードの切り替えを行う照度電力切替機能の有効／無効を制御する。【選択図】図８
2016210049.tif 000002
【特許請求の範囲】
【請求項１】
消費電力の異なる複数の電力モードを備えている画像処理装置であって、
外部から供給される外部電源電力から前記画像処理装置内で利用する内部電源電力を生成する外部電力手段と、
蓄電池の蓄電する蓄電電力から前記内部電源電力を生成する蓄電電力手段と、
前記画像処理装置に供給する前記内部電源電力の前記電力モードを切り替える電力モード切替手段と、
周囲環境の照度を検出する照度検出手段と、
前記照度を所定の閾値照度と比較して前記電力モード切替手段による前記電力モードの切り替えを制御する電力モード切替制御手段と、
前記画像処理装置の使用環境に基づいて、前記電力モード切替制御手段による前記照度に基づく前記電力モードの切り替えを行う照度電力切替機能の有効／無効を制御する機能制御手段と、
を備えていることを特徴とする画像処理装置。
【請求項２】
前記画像処理装置は、
前記電力モードとして、通常動作可能な通常電力モードと、該通常電力モードよりも消費電力の少ない省電力モードと、を有し、
前記電力モード切替制御手段は、
前記照度検出手段の検出する前記照度が前記閾値照度以下になると、前記電力モード切替手段に、前記通常電力モードから前記省電力モードへ切り替えさせることを特徴とする請求項１記載の画像処理装置。
【請求項３】
前記機能制御手段は、
前記外部電源電力の供給の有無を検出する検出手段を、
備え、
前記検出手段が前記外部電源電力の供給が無いことを検出すると、前記照度電力切替機能を無効にすることを特徴とする請求項１または請求項２記載の画像処理装置。
【請求項４】
前記機能制御手段は、
前記照度電力切替機能の有効／無効が切替操作される操作手段を、
備え、
前記操作手段の操作に応じて前記照度電力切替機能の有効／無効を制御することを特徴とする請求項１から請求項３のいずれかに記載の画像処理装置。
【請求項５】
前記画像処理装置は、
前記照度電力切替機能の有効／無効状態を報知出力する報知手段を、
さらに備えていることを特徴とする請求項１から請求項４のいずれかに記載の画像処理装置。
【請求項６】
前記照度検出手段は、
取付位置と取付角度のうち少なくともいずれが自在に前記画像処理装置に取り付けられていることを特徴とする請求項１から請求項５のいずれかに記載の画像処理装置。
【請求項７】
前記蓄電電力手段は、
前記蓄電池が、前記画像処理装置に着脱可能に装着されることを特徴とする請求項１から請求項６のいずれかに記載の画像処理装置。
【請求項８】
前記蓄電電力手段は、
前記蓄電池として、充電可能な蓄電池を備え、
前記外部電源電力から蓄電電力を生成して前記蓄電池に蓄電する充電手段を備えていることを特徴とする請求項１から請求項７のいずれかに記載の画像処理装置。
【請求項９】
消費電力の異なる複数の電力モードを備えている画像処理装置の電源制御方法であって、
外部から供給される外部電源電力から前記画像処理装置内で利用する内部電源電力を生成する外部電源処理ステップと、
蓄電池の蓄電する蓄電電力から前記内部電源電力を生成する蓄電電力処理ステップと、
前記画像処理装置に供給する前記内部電源電力の前記電力モードを切り替える電力モード切替処理ステップと、
周囲環境の照度を検出する照度検出処理ステップと、
前記照度を所定の閾値照度と比較して前記電力モード切替処理ステップでの前記電力モードの切り替えを制御する電力モード切替制御処理ステップと、
前記画像処理装置の使用環境に基づいて、前記電力モード切替制御処理ステップでの前記照度に基づく前記電力モードの切り替えを行う照度電力切替機能の有効／無効を制御する機能制御処理ステップと、
を有していることを特徴とする電源制御方法。
【発明の詳細な説明】
【技術分野】
【０００１】
本発明は、画像処理装置及び電力制御方法に関し、詳細には、複数の電力モードを制御する画像処理装置及び電力制御方法に関する。
【背景技術】
【０００２】
環境保全等の目的から、電気機器全般において消費電力を低減することが求められている。消費電力の低減を図るために、各国で省電力化に関する規制や基準があり、国際エネルギースター計画等でその値が規定されている状況にある。
【０００３】
省電力化は、画像形成機能等の画像処理機能を有する複写装置、ファクシミリ装置、プリンタ装置、複合装置等の画像処理装置においても、環境保護に対する意識の向上や電気料金の削減という、ユーザ意識の観点から、省電力対応の画像処理装置が要望されている。
【０００４】
そして、従来から、例えば、画像処理装置においては、予め設定された待ち時間の間、画像処理装置が使用されないと、主要各部への供給電力を削減または供給を停止して、消費電力を削減する省電力モードを備えるようになってきている。
【０００５】
また、従来、通信機器をオプションとして搭載可能であり、消費電力モードとして、前記通信機器を動作状態にする通常モードと、前記通信機器を不動作状態にする低消費電力モードとを少なくとも有する画像処理装置であって、前記画像処理装置の周囲の照度を検知する検知手段と、前記通信機器がオプションとして搭載されているか否かを判断する判断手段と、前記検知手段により、前記周囲の照度が、所定時間、所定の閾値より小であると検知されると、前記消費電力モードを前記低消費電力モードに遷移させる制御手段と、を含み、前記判断手段により、前記通信機器がオプションとして搭載されていると判断されたときは、前記検知手段により、前記周囲の照度が、所定時間、所定の閾値より小であると検知されたときであっても、前記制御手段は、前記消費電力モードを、前記通常モードに維持する画像処理装置が提案されている（特許文書１参照）。
【０００６】
すなわち、この従来技術は、照度に基づく省電力モード移行機能を備えているが、通信機器がオプションとして搭載されていると、照度に基づく省電力モード移行機能をオフにすることで、通信機能、特に、着信機能を確保しようとしている。
【発明の概要】
【発明が解決しようとする課題】
【０００７】
しかしながら、上記従来技術にあっては、オプションとして通信機能が搭載されているか否かによって照度に基づく省電力モードへの移行可否を制御しているのみであり、消費電力の削減と画像処理装置の利用性の向上を両立させる上で、改良の必要があった。
【０００８】
すなわち、近年、画像処理装置は、停電時等の外部電力の供給がない場合においても蓄電池駆動が可能な画像処理装置が出現している。このような電池駆動可能な画像処理装置は、例えば、停電時等のように電池の消費電力を抑制する必要のある場合がある。
【０００９】
一方、画像処理装置は、頻繁に動作が要求される場合があるが、このような場合に、画像処理装置が、停電等による照度の低下によって省電力モードに移行していると、省電力モードから通常稼動可能な通常電力モードに復帰した後に、動作を開始する必要がある。すなわち、停電等による照度の低下による省電力モードへの移行では、停電等によって画像処理装置が設置されている場所の照明が消灯している間、画像処理装置が低電力モードへ移行した状態となる。したがって、このような長時間の省電力モードにおいて、動作要求が頻繁に発生すると、動作要求毎に、省電力モードから通常電力モードへの復帰動作を行った後に動作を開始するという動作開始までに待ち時間が発生し、画像処理装置の利用性が悪いという問題がある。
【００１０】
その結果、電池駆動可能な画像処理装置においては、省電力と画像処理装置の利用性の向上の両立を図る必要がある。
【００１１】
そこで、本発明は、電池駆動可能な画像処理装置の利用性の向上を図りつつ省電力を向上させることを目的としている。
【課題を解決するための手段】
【００１２】
上記目的を達成するために、請求項１記載の画像処理装置は、消費電力の異なる複数の電力モードを備えている画像処理装置であって、外部から供給される外部電源電力から前記画像処理装置内で利用する内部電源電力を生成する外部電力手段と、蓄電池の蓄電する蓄電電力から前記内部電源電力を生成する蓄電電力手段と、前記画像処理装置に供給する前記内部電源電力の前記電力モードを切り替える電力モード切替手段と、周囲環境の照度を検出する照度検出手段と、前記照度を所定の閾値照度と比較して前記電力モード切替手段による前記電力モードの切り替えを制御する電力モード切替制御手段と、前記画像処理装置の使用環境に基づいて、前記電力モード切替制御手段による前記照度に基づく前記電力モードの切り替えを行う照度電力切替機能の有効／無効を制御する機能制御手段と、を備えていることを特徴としている。
【発明の効果】
【００１３】
本発明によれば、電池駆動可能な画像処理装置の利用性の向上を図りつつ省電力を向上させることができる。
【図面の簡単な説明】
【００１４】
【図１】本発明の一実施例を適用した複合装置の外観斜視図。
【図２】複合装置の内部構成斜視図。
【図３】電池部を収納した状態の複合装置の外観斜視図。
【図４】照度センサカバー部分の拡大図。
【図５】複合装置の要部ブロック図。
【図６】取付角度を変更可能な照度センサの拡大斜視図。
【図７】取付位置と角度が自在な照度センサを有する複合装置の部分斜視図。
【図８】複合装置の機能ブロック図。
【図９】電力モード自動遷移制御処理を示すフローチャート。
【図１０】省電力モード自動遷移機能設定処理を示すフローチャート。
【図１１】排出部の照明ライトが点灯している状態の複合装置の外観斜視図。
【発明を実施するための形態】
【００１５】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１６】
図１〜図１１は、本発明の画像処理装置及び電力制御方法の一実施例を示す図であり、図１は、本発明の画像処理装置及び電力制御方法の一実施例を適用した複合装置１の外観斜視図である。
【００１７】
図１において、複合装置（画像処理装置）１は、本体筐体２の上部に、スキャナ部３が配設され、本体筐体２内に、プリンタ部４、給紙部５及び排紙部６等が設けられている。また、複合装置１は、本体筐体２の上部前面に、操作表示部７が設けられており、操作表示部７には、各種キーが設けられているとともに、ディスプレイ８が設けられている。
【００１８】
スキャナ部３としては、例えば、光電変換素子としてＣＣＤ(Charge Coupled Device)またはＣＭＯＳ（Complementary Metal Oxide Semiconductor ）を用いたスキャナが用いられており、ＡＲＤＦ（自動両面原稿搬送装置）３ａを備えている。
【００１９】
ＡＲＤＦ３ａは、ＡＲＤＦ３ａの原稿台３ｂにセットされた原稿を、該原稿台３ｂからスキャナ部３の原稿読取位置に搬送する。
【００２０】
スキャナ部３は、ＡＲＤＦ３ａによって原稿読取位置に搬送されてくる原稿を走査して、該原稿の画像を読み取る。
【００２１】
プリンタ部４は、種々の印刷方式のプリンタを用いることができ、本実施例では、インク吐出式プリンタが用いられている。プリンタ部４は、記録ヘッド４ａ（図２参照）を搭載するキャリッジ４ｂを備えており、記録ヘッド４ａは、インク滴を被記録媒体である用紙に向かって吐出する複数のノズルが設けられている。キャリッジ４ｂは、主走査方向に往復移動され、記録ヘッド４ａは、キャリッジ４ｂの移動に伴って主走査方向に移動する。
【００２２】
プリンタ部４は、用紙搬送機構によって、給紙部５の給紙カセット５ａ内の用紙をプラテン４ｃ上に搬送し、プラテン４ｃの上面に沿って用紙を搬送させる。プリンタ部４は、キャリッジ４ｂを主走査方向に移動させつつ、記録ヘッド４ａのノズルから用紙に向かってインク滴を吐出して画像を形成する。
【００２３】
複合装置１は、スキャナ部３の読み取った原稿の画像データや外部の情報処理装置（例えば、コンピュータ等）から有線または無線のネットワークを介して送信されてきた画像データに基づいてプリンタ部４で画像を用紙に記録する。プリンタ部４は、画像形成した用紙を排紙部６へ搬送し、排紙部６は、プリンタ部４で画像形成された用紙を、排紙トレイ６ａへ排出する。
【００２４】
複合装置１は、本体筐体２の前面側に、開閉カバー９（図３参照）が設けられており、開閉カバー９の本体筐体２内には、電池部（蓄電池）１０が取り替え可能な状態で収納されている。
【００２５】
複合装置１は、本体筐体２の外装カバー２ａの前面であって、開閉カバー９の上方位置に、図４に拡大して示すように、照度センサカバー２ｂが設けられており、照度センサカバー２ｂの複合装置１の内部には、照度センサ１１（図６参照）が配設されている。照度センサカバー２ｂは、光を透過する光透過性部材で形成されており、複合装置１の周囲環境の光（例えば、複合装置１の設置場所の照明光）を、内部の照度センサ１１へ透過させる。
【００２６】
照度センサ１１は、フォトダイオード、フォトＩＣ(Integrated Circuit）等が用いられており、照度センサカバー２ｂを通して入射される環境光の照度を検出して、照度に対応したアナログの照度信号を出力する。
【００２７】
複合装置１は、後述するように、電力モードとして、通常電力モードと省電力モードを備えている。ここで、通常電力モードは、動作要求があると、速やかに動作要求に応じた動作処理を実行することが可能な電力モードである。複合装置１は、通常電力モードのときには、例えば、複写要求が操作表示部７のキー操作であると、速やかに複写動作を開始することができる。また、省電力モードは、例えば、主要各部への供給電力を遮断または削減して、消費電力を削減する電力モードであり、省電力モードとしては、複数段階の省電力モードがあってもよい。
【００２８】
複合装置１は、後述するように、通常電力モードと省電力モードとの間の移行を、照度センサ１１の検出する検出照度に基づいて制御する電力モード自動遷移機能（照度電力切替機能）を備えている。
【００２９】
また、複合装置１は、本体筐体２の前面側の外装カバー２ａであって、照度センサカバー２ｂの近傍に、省電力キー１２と省電力状態表示ランプ１３が配設されている。省電力キー（操作手段）１２は、照度センサ１１の検出結果に基づいて複合装置１の通常電力モードと省電力モードの間を自動で遷移させる電力モード自動遷移機能をＯＮ／ＯＦＦさせるのに使用される。複合装置１は、省電力キー１２がＯＮ操作されると、照度センサ１１の検出結果に基づく電力モード自動遷移機能を有効にし、ＯＦＦ操作されると、照度センサ１１の検出結果に基づく電力モード自動遷移機能を有効にする。なお、この省電力キー１２の配設位置は、照度センサカバー２ｂの近傍に限るものではなく、例えば、操作表示部７に設けられていてもよい。
【００３０】
省電力状態表示ランプ（報知手段）１３は、例えば、ＬＥＤ（Light Emitting Diode）ランプ等が用いられており、点灯／消灯することで、電力モード自動遷移機能のＯＮ／ＯＦＦ状態を明示する。例えば、複合装置１は、電力モード自動遷移機能がＯＮであると、省電力状態表示ランプ１３を点灯させ、電力モード自動遷移機能がＯＦＦであると、省電力状態表示ランプ１３を消灯させる。
【００３１】
そして、複合装置１は、図５に示すようにブロック構成されている。すなわち、複合装置１は、通信Ｉ／Ｆ（インターフェイス）２１、ＣＰＵ（Central Processing Unit）２２、メモリ２３、Ｉ／Ｏ（Input/Output）２４、電力制御部２５、エンジン部２６、Ｉ／Ｏ２７、電力部２８、電力供給制御部２９、外部電力検出部３０及び上記操作表示部７、省電力キー１２、照度センサ１１及び省電力状態表示ランプ１３等を備えている。上記通信Ｉ／Ｆ２１、ＣＰＵ２２、メモリ２３、Ｉ／Ｏ２４、電力制御部２５、エンジン部２６及びＩ／Ｏ２７は、バス３１により接続されている。
【００３２】
電力部２８は、切替部４１、外部電力部４２、蓄電電力部４３及び切替部４４等を備えており、切替部４１に、ＡＣ（交流）１００Ｖ等の商用の外部電源電力Ｇｐが、該外部電源電力Ｇｐの供給されている図示しないコンセントに挿入されるプラグ及び電源コード等を介して供給される。したがって、電力部２８は、プラグがコンセントから外されているか、停電のときには、外部電源電力Ｇｐが供給されないが、プラグがコンセントに挿入されており、かつ、停電でないときには、外部電源電力Ｇｐが切替部４１に供給される。
【００３３】
切替部４１は、後述する電力制御部２５の制御下で、外部電源電力Ｇｐを、外部電力部４２と蓄電電力部４３とに切り替えて供給する。
【００３４】
外部電力部４２は、切替部４１から供給される外部電源電力Ｇｐから複合装置１で使用する各種電圧値、電流値の内部直流電源電力、内部交流電源電力の内部電源電力Ｎｐを生成して、切替部４４へ出力する。
【００３５】
蓄電電力部４３は、電池部１０及び図示しない充電回路（充電手段）と給電回路等を備えており、電池部１０は、所定容量の蓄電コンデンサ等が用いられている。蓄電電力部４３は、充電回路が、切替部４１から供給される外部電源電力Ｇｐを利用して電池部１０へ蓄電電力を蓄電し、給電回路が、電池部１０の蓄電電力から内部電源電力Ｎｐを生成して、切替部４４へ出力する。
【００３６】
切替部４４は、電力制御部２５の制御下で、外部電力部４２からの内部電源電力Ｎｐと蓄電電力部４３からの内部電源電力Ｎｐの一方を選択して、電力供給制御部２９へ出力する。
【００３７】
電力供給制御部２９は、電力制御部２５の制御下で、電力制御部２５から通知される電力モードに応じて、内部電源電力Ｎｐをそのまま複合装置１の各部へ供給する通常電力モードと、主要各部へ供給する電力を削減または供給停止する省電力モードとを制御する。
【００３８】
通信Ｉ／Ｆ２１は、ＬＡＮ（Local Area Network）等のネットワークに接続され、ＣＰＵ２２の制御下で、ネットワークを介して、他の機器、特に、複合装置１に印刷要求等の動作要求を行ってくるコンピュータ等の情報処理装置と通信する。
【００３９】
メモリ２３は、ＲＯＭ（Read Only Memory）、ＲＡＭ（Random Access Memory）、ハードディスク等が用いられており、ＯＳ（Operating System）、アプリケーションプログラム、システムデータ及び画像データ等を記憶する。特に、メモリ２３は、本発明の電力制御方法を実行する電力制御プログラム及び該電力制御方法で利用するデータ、例えば、照度に基づく電力モード自動遷移機能で使用する閾値照度等を記憶している。
【００４０】
ＣＰＵ２２は、メモリ２３内のプログラムに基づいて、メモリ２３をワークメモリとして利用して、複合装置１の各部を制御し、複合装置１としての基本処理を実行するとともに、電力制御プログラムに基づいて、本発明の電力制御方法を実行する。
【００４１】
操作表示部７は、上記操作キーの操作コマンドをＣＰＵ２２へ出力し、ＣＰＵ２２からの表示データをディスプレイ８へ表示する。
【００４２】
省電力キー１２は、プッシュスイッチ等が用いられ、ユーザによる操作内容を示す操作信号をＣＰＵ２２へ出力する。
【００４３】
Ｉ／Ｏ２４は、バス３１と外部電力検出部３０に接続されており、外部電力検出部３０の検出信号をＣＰＵ２２へ出力する。
【００４４】
外部電力検出部３０は、電力部２８の切替部４１へ外部電源電力Ｇｐが供給されているか否かを検出し、検出結果を示す検出信号を、Ｉ／Ｏ２４を介してＣＰＵ２２へ出力する。すなわち、外部電力検出部３０は、電源プラグがコンセントから引き抜かれているか、停電等によって電源プラグがコンセントに差し込まれていても電源コードから外部電源電力Ｇｐが切替部４１に供給されていないことを検出すると、その旨の検出信号を出力する。
【００４５】
電力制御部２５は、制御ＩＣ(Integrated Circuit）等で構成され、ＣＰＵ２２の制御下で、電力部２８の切替部４１、４４の切替動作を制御して、外部電源電力Ｇｐから内部電源電力Ｎｐを生成する生成部を、外部電力部４２と蓄電電力部４３とに切り替える。
【００４６】
また、電力制御部２５は、ＣＰＵ２２の制御下で、照度センサ１１の検出照度に基づく電力供給制御部２９での電力モードの切り替えを制御する。
【００４７】
さらに、電力供給制御部２９は、ＣＰＵ２２の制御下で、複合装置１の使用環境に基づいて、電力供給制御部２９による照度に基づく電力モード自動遷移機能（照度に基づいて電力モードを切り替える照度電力切替機能）の有効／無効を、制御する。具体的には、ＣＰＵ２２は、外部電力検出部３０が外部電源電力Ｇｐの入力を検出していると、電力制御部２５を介した電力供給制御部２９による照度に基づく電力モード自動遷移機能を有効とする。また、ＣＰＵ２２は、該部電力検出部３０が外部電源電力Ｇｐの入力を検出していても、省電力キー１２のＯＮ／ＯＦＦ操作に応じて、電力制御部２５を介した電力供給制御部２９による照度に基づく電力モード自動遷移機能の有効／無効を制御する。
【００４８】
エンジン部２６は、スキャナ部３、プリンタ部４を総称したものであり、ＣＰＵ２２の制御下で、スキャナ動作及びプリンタ動作を行う。
【００４９】
Ｉ／Ｏ２７は、バス３１と照度センサ１１及び省電力状態表示ランプ１３に接続されており、照度センサ１１の検出する照度信号をＣＰＵ２２へ出力する。また、Ｉ／Ｏ２７は、ＣＰＵ２２からの省電力状態表示ランプ１３の点灯／消灯信号を省電力状態表示ランプ１３へ出力し、該省電力状態表示ランプ１３の点灯／消灯を行わせる。この省電力状態表示ランプ１３は、例えば、点灯することで、電力モード自動遷移機能が有効であることを示し、消灯することで、電力モード自動遷移機能が無効であることを示す。
【００５０】
なお、照度センサ１１は、その取付位置や取付角度が固定している必要はなく、例えば、図６に示すように、取付角度が上下左右に調整可能となっていてもよい。この場合、照度センサ１１は、複合装置１の設置されている部屋等の照明の方向に照度センサ１１の受光面を向けて取り付けられることで、照明の照度を適切に検出することができる。なお、取付照度センサカバー２ｂは、取り外し可能となっていることが望ましい。また、照度センサ１１は、例えば、図７に示すように、コード１１ａによって複合装置１と接続されていてもよい。この場合、複合装置１が照明から外れた位置に設置されている場合に、照度センサ１１は、照明の当たる位置に設置されることで、環境照明の照度を適切に検出することができる。
【００５１】
そして、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の電力モード自動遷移機能の有効／無効制御を行う電力制御方法を実行する電力制御プログラムを読み込んでメモリ２３に導入することで、後述する電池駆動可能な複合装置１の利用性の向上を図りつつ省電力を向上させる電力制御方法を実行する画像処理装置として構築されている。この電力制御プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００５２】
複合装置１は、上記電力制御プログラムが導入されることで、図８に示す機能ブロックが構築される。複合装置１は、電力制御プログラムが導入されると、外部電力部５１、蓄電電力部５２、電力モード切替部５３、電力モード切替制御部５４、照度検出部５５及び機能制御部５６が構築される。
【００５３】
外部電力部５１は、電力部２８の外部電力部４２により構築され、外部から供給される外部電源電力Ｇｐから複合装置１の装置内で利用する内部電源電力Ｎｐを生成する。したがって、外部電力部５１は、外部電力手段として機能している。
【００５４】
蓄電電力部５２は、電池部１０を備えた蓄電電力部４３により構築され、蓄電電力を蓄電して該蓄電電力を内部電源電力Ｎｐとして生成する。したがって、蓄電電力部５２は、蓄電電力手段として機能している。蓄電電力部５２は、省電力モード等の消費電力が少ないときに、電池部１０への充電を行う。
【００５５】
電力モード切替部５３は、電力供給制御部２９により構築され、外部電力部５１、蓄電電力部４３の生成した内部電源電力Ｎｐを供給する電力モードを切り替える。したがって、電力モード切替部５３は、電力モード切替手段として機能している。
【００５６】
照度検出部５５は、照度センサ１１により構築され、周囲環境の照度を検出する。したがって、照度検出部５５は、照度検出手段として機能している。
【００５７】
電力モード切替制御部５４は、ＣＰＵ２２及び電力制御部２５により構築されている。電力モード切替制御部５４は、照度検出部５５の検出する照度を所定の閾値照度と比較して電力モード切替部５３による電力モードの切り替えを制御する。したがって、電力モード切替制御部５４は、電力モード切替制御手段として機能している。なお、閾値照度は、ユーザが適宜変更可能であってもよい。
【００５８】
機能制御部５６は、ＣＰＵ２２及び電力制御部２５により構築されている。機能制御部５６は、画像処理装置である複合装置１の使用環境に基づいて、電力モード切替部５３による照度に基づく電力モードを切り替える照度電力切替機能である電力モード自動遷移機能の有効／無効を、制御する。したがって、電力モード切替制御部５４は、機能制御手段として機能している。そして、機能制御部５６は、上記外部電力検出部３０からの外部電源電力Ｇｐの入力の有無を示す外部電源電力検出信号と省電力キー１２の操作状態を示す省電力キー信号が入力される。機能制御部５６は、これらの信号に基づいて、複合装置１の使用環境を判断して、電力モード自動遷移機能の有効／無効を制御する。なお、電力モード自動遷移機能の有効／無効を指示する信号は、複合装置１外部から送られてきてもよい。例えば、複合装置１の接続されているネットワークに接続されているホスト装置から電力モード自動遷移機能の有効／無効を指示する信号が送られてきてもよい。この場合、複合装置１は、該電力モード自動遷移機能の有効／無効を指示する信号に応じて電力モード自動遷移機能の有効／無効を設定する。
【００５９】
次に、本実施例の作用を説明する。本発明の複合装置１は、電池駆動可能な画像処理装置である複合装置１の利用性の向上を図りつつ省電力を向上させる。
【００６０】
複合装置１は、電池部１０を有する蓄電電力部５２を備え、外部電源電力Ｇｐの供給がない場合にも、電池部１０の蓄電電力を利用して内部電源電力Ｎｐを生成して動作可能となっている。この電池部１０は、充電可能であり、また、交換可能となっている。
【００６１】
また、複合装置１は、照度検出部５５で検出した照度が閾値照度以下になると、電力モード切替制御部５４が、電力モード切替部５３による電力モードを通常電力モードから省電力モードに切り替える。
【００６２】
ところが、省電力モードは、複合装置１の主要各部への供給電力を低減、停止して、消費電力を削減する電力モードである。したがって、複合装置１は、省電力モードにおいて動作要求があると、省電力モードから通常電力モードに復帰する必要がある。この復帰動作処理は、大きな電力を必要とするとともに、復帰時間を必要とする。したがって、省電力モードにおいて、頻繁に動作要求が発生すると、その度に、復帰動作処理を行うと、消費電力がかえって多くかかり、また、動作要求から動作開始までに時間がかかって利用性が悪いという問題が或る。
【００６３】
そこで、本発明の複合装置１は、電力モード切替制御部５４が、照度検出部５５の検出する検出照度に基づいて電力モードを制御する電力モード自動遷移処理を行うとともに、複合装置１の使用環境に基づいて該電力モード自動遷移機能の有効／無効を制御する。
【００６４】
すなわち、複合装置１は、図９に示すように、電源がＯＮされると、電力モード切替制御部５４が、省電力モード自動遷移機能設定処理を行なう（ステップＳ１０１）。
【００６５】
次に、電力モード切替制御部５４は、省電力モード自動遷移機能が有効であるかチェックする（ステップＳ１０２）。
【００６６】
ステップＳ１０２で、省電力モード自動遷移機能が無効であると（ステップＳ１０２で、ＮＯのとき）、電力モード切替制御部５４は、照度に基づく省電力モード自動遷移処理を行うことなく、電力モード切替部５３に電力モードを常に通常電力モードに維持させる。電力モード切替制御部５４は、省電力モード自動遷移機能が無効であると、ステップＳ１０１に戻って、所定タイミング毎に省電力モード自動遷移機能設定処理と有効／無効の判定を行う（ステップＳ１０１、Ｓ１０２）。
【００６７】
ステップＳ１０２で、省電力モード自動遷移機能が有効であると（ステップＳ１０２で、ＹＥＳのとき）、電力モード切替制御部５４は、照度検出部５５の検出する環境照度を取得する（ステップＳ１０３）。
【００６８】
次に、電力モード切替制御部５４は、検出照度が予め設定されている閾値照度以下であるかチェックする（ステップＳ１０４）。
【００６９】
電力モード切替制御部５４は、ステップＳ１０４で、検出照度が閾値照度よりも大きいと（ステップＳ１０４で、ＮＯのとき）、ステップＳ１０３に戻って、所定タイミング毎に、環境照度検出から上記同様に処理する（ステップＳ１０３、Ｓ１０４）。
【００７０】
ステップＳ１０４で、検出照度が閾値照度以下であると（ステップＳ１０４で、ＹＥＳのとき）、電力モード切替制御部５４は、電力モード切替部５３を制御して、省電力モードへ移行させ、電力モード自動遷移制御処理を終了する（ステップＳ１０５）。
【００７１】
そして、複合装置１は、上記省電力モード自動遷移機能設定処理を、図１０に示すように実行する。すなわち、複合装置１は、省電力モード自動遷移機能設定処理へ移行すると、機能制御部５６が、外部電力検出部３０からの外部電源電力検出信号に基づいて外部電源電力Ｇｐが供給されているかチェックする（ステップＳ２０１）。
【００７２】
ステップＳ２０１で、外部電源電力Ｇｐが供給されていると（ステップＳ２０１で、ＹＥＳのとき）、機能制御部５６は、省電力キー１２からの省電力キー信号を取得して、省電力キー１２がＯＮ操作されているかチェックする（ステップＳ２０２）。
【００７３】
ステップＳ２０２で、省電力キー１２がＯＮ操作されていると（ステップＳ２０２で、ＹＥＳのとき）、機能制御部５６は、電力モード切替制御部５４による省電力モード自動遷移機能を有効にセットして、省電力モード自動遷移機能設定処理を終了する（ステップＳ２０３）。
【００７４】
ステップＳ２０２で、省電力キー１２がＯＦＦ操作されていると（ステップＳ２０２で、ＮＯのとき）、機能制御部５６は、電力モード切替制御部５４による省電力モード自動遷移機能を無効にセットして、省電力モード自動遷移機能設定処理を終了する（ステップＳ２０４）。
【００７５】
また、ステップＳ２０１で、外部電源電力Ｇｐが供給されていないと（ステップＳ２０１で、ＮＯのとき）、機能制御部５６は、電力モード切替制御部５４による省電力モード自動遷移機能を無効にセットして、省電力モード自動遷移機能設定処理を終了する（ステップＳ２０４）。
【００７６】
したがって、外部電源電力Ｇｐが供給されていないときには、省電力モード自動遷移機能を無効にすることができ、照度に基づいて省電力モードへ移行してからの動作要求による復帰処理が頻発することを防止することができる。その結果、電池部１０の蓄電電力の消費を削減することができるとともに、復帰処理による待ち時間の発生を抑制して利用性を向上させることができる。特に、停電の場合には、環境照度が低下するため、常に省電力モードへ移行してしまうことを防止することができ、複合装置１の利用性を向上させることができる。また、ユーザの省電力キー１２の操作によって、ユーザによる複合装置１の使用環境に応じて、省電力モード自動遷移機能の有効／無効を切り替えることができ、使用環境によって照度に基づいて省電力モードへ移行してからの動作要求による復帰処理が頻発することを防止することができる。その結果、電池部１０の蓄電電力の消費を削減することができる。
【００７７】
なお、複合装置１は、図１１に示すように、排紙部６の排紙トレイ６ａ上に照明光を照射する照明ランプ（図示略）が取り付けられていてもよい。複合装置１は、外部電源電力Ｇｐが供給されていないときに、動作要求、特に、プリンタ部４による印刷出力を伴う動作要求があると、照明ランプを点灯させてもよい。なお、図１１では、照明ランプによる照明光を破線で示している。
【００７８】
このようにすると、停電時等の暗い環境において、印刷出力動作を行う場合、排紙トレイ６ａへ排出される印刷物の視認性を向上させることができる。
【００７９】
このように、本実施例の複合装置１は、消費電力の異なる複数の電力モードを備えている画像処理装置であって、外部から供給される外部電源電力Ｇｐから複合装置１内で利用する内部電源電力Ｎｐを生成する外部電力部（外部電力手段）５１と、電池部１０の蓄電する蓄電電力から前記内部電源電力Ｎｐを生成する蓄電電力部（蓄電電力手段）５２と、複合装置１に供給する前記内部電源電力Ｎｐの前記電力モードを切り替える電力モード切替部（電力モード切替手段）５３と、周囲環境の照度を検出する照度検出部（照度検出手段）５５と、前記照度を所定の閾値照度と比較して前記電力モード切替部５３による前記電力モードの切り替えを制御する電力モード切替制御部（電力モード切替制御手段）５４と、前記複合装置１の使用環境に基づいて、前記電力モード切替制御部５４による前記照度に基づく前記電力モードの切り替えを行う照度電力切替機能の有効／無効を制御する機能制御部（機能制御手段）５６と、を備えている。
【００８０】
したがって、複合装置１の使用環境に応じて、照度に基づいて電力モードを切り替える照度電力切替機能の有効／無効を制御することができ、電池駆動可能な画像処理装置である複合装置１の利用性の向上を図りつつ省電力を向上させることができる。
【００８１】
また、本実施例の複合装置１は、消費電力の異なる複数の電力モードを備えている画像処理装置である複合装置１の電源制御方法であって、外部から供給される外部電源電力Ｇｐから複合装置１内で利用する内部電源電力Ｎｐを生成する外部電源処理ステップと、電池部１０の蓄電する蓄電電力から前記内部電源電力Ｎｐを生成する蓄電電力処理ステップと、複合装置１に供給する前記内部電源電力Ｎｐの前記電力モードを切り替える電力モード切替処理ステップと、周囲環境の照度を検出する照度検出処理ステップと、前記照度を所定の閾値照度と比較して前記電力モード切替処理ステップでの前記電力モードの切り替えを制御する電力モード切替制御処理ステップと、前記複合装置１の使用環境に基づいて、前記電力モード切替制御処理ステップでの前記照度に基づく前記電力モードの切り替えを行う照度電力切替機能の有効／無効を制御する機能制御処理ステップと、を有する電源制御方法を実行する。
【００８２】
したがって、複合装置１の使用環境に応じて、照度に基づいて電力モードを切り替える照度電力切替機能の有効／無効を制御することができ、電池駆動可能な画像処理装置である複合装置１の利用性の向上を図りつつ省電力を向上させることができる。
【００８３】
さらに、本実施例の複合装置１は、前記電力モードとして、通常動作可能な通常電力モードと、該通常電力モードよりも消費電力の少ない省電力モードと、を有し、前記電力モード切替制御部５４が、前記照度検出部５５の検出する前記照度が前記閾値照度以下になると、前記電力モード切替部５３に、前記通常電力モードから前記省電力モードへ切り替えさせる。
【００８４】
したがって、複合装置１の使用環境としての複合装置１の設置場所の照明照度が落ちると複合装置１の利用される機会が少なくなると判断して、省電力モードへ移行することができる。その結果、電池駆動可能な画像処理装置である複合装置１の利用性の向上を図りつつ、照度に基づいて適切に省電力を向上させることができる。
【００８５】
また、本実施例の複合装置１は、前記機能制御部５６が、前記外部電源電力Ｇｐの供給の有無を検出する外部電力検出部（検出手段）３０を、備え、前記外部電力検出部３０が前記外部電源電力Ｇｐの供給が無いことを検出すると、前記照度電力切替機能を無効にする。
【００８６】
したがって、複合装置１の使用環境としての複合装置１の設置場所の照明照度が落ちると複合装置１の利用される機会が少なくなると判断して、省電力モードへ移行することができる。その結果、電池駆動可能な画像処理装置である複合装置１の利用性の向上を自動的に図りつつ省電力を自動的に向上させることができる。
【００８７】
さらに、本実施例の複合装置１は、前記機能制御部５６が、前記照度電力切替機能の有効／無効が切替操作される省電力キー（操作手段）１２を、備え、前記省電力キー１２の操作に応じて前記照度電力切替機能の有効／無効を制御する。
【００８８】
したがって、ユーザによる複合装置１の利用判断を使用環境として、照度に基づいて電力モードを切り替える照度電力切替機能の有効／無効を制御することができる。その結果、電池駆動可能な画像処理装置である複合装置１の利用性の向上をユーザの意図に応じて図りつつ省電力を向上させることができる。
【００８９】
また、本実施例の複合装置１は、前記照度電力切替機能の有効／無効状態を報知出力する省電力状態表示ランプ（報知手段）１３を、さらに備えている。
【００９０】
したがって、省電力切替機能の有効／無効状態がわかるようにすることができ、複合装置１の利用性をより一層向上させつつ、省電力を向上させることができる。
【００９１】
さらに、本実施例の複合装置１は、前記照度検出部５５が、取付位置と取付角度のうち少なくともいずれが自在に複合装置１に取り付けられている。
【００９２】
したがって、複合装置１の設置環境にかかわらず、複合装置１の設置されている環境の照度を正確に検出することができる。その結果、正確な検出照度に基づいて、電池駆動可能な画像処理装置である複合装置１の利用性の向上を図りつつ省電力を向上させることができる。
【００９３】
また、本実施例の複合装置１は、前記蓄電電力部５２が、前記電池部１０が、複合装置１に着脱可能に装着される。
【００９４】
したがって、交換式の電池部１０を備えた複合装置１の使用環境に応じて、照度に基づいて電力モードを切り替える照度電力切替機能の有効／無効を制御することができ、複合装置１の利用性の向上を図りつつ省電力を向上させることができる。
【００９５】
さらに、本実施例の複合装置１は、前記蓄電電力部５２が、前記電池部１０として、充電可能な電池部１０を備え、前記外部電源電力から蓄電電力を生成して前記電池部１０に蓄電する充電回路（充電手段）を備えている。
【００９６】
したがって、外部電源電力Ｇｐを利用して充電する電池部１０を備えた複合装置１の使用環境に応じて、照度に基づいて電力モードを切り替える照度電力切替機能の有効／無効を制御することができ、複合装置１の利用性の向上を図りつつ省電力を向上させることができる。
【００９７】
なお、本実施例の複合装置１は、照度センサ１１が照度センサカバー２ｂで覆われているため、照度センサ１１が汚れることを防止することができるとともに、照度センサカバー２ｂを清掃することで、照度センサ１１による照度検出精度を向上さることができる。
【００９８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００９９】
１  複合装置
２  本体筐体
２ａ  外装カバー
２ｂ  照度センサカバー
３  スキャナ部
３ａ  ＡＲＤＦ
３ｂ  原稿台
４  プリンタ部
４ａ  記録ヘッド
４ｂ  キャリッジ
４ｃ  プラテン
５  給紙部
５ａ  給紙カセット
６  排紙部
７  操作表示部
８  ディスプレイ
９  開閉カバー
１０  電池部
１１  照度センサ
１２  省電力キー
１３  省電力状態表示ランプ
２１  通信Ｉ／Ｆ
２２  ＣＰＵ
２３  メモリ
２４  Ｉ／Ｏ
２５  電力制御部
２６  エンジン部
２７  Ｉ／Ｏ
２８  電力部
２９  電力供給制御部
３０  外部電力検出部
３１  バス
４１  切替部
４２  外部電力部
４３  蓄電電力部
４４  切替部
Ｇｐ  外部電源電力
Ｎｐ  内部電源電力
５１  外部電力部
５２  蓄電電力部
５３  電力モード切替部
５４  電力モード切替制御部
５５  照度検出部
５６  機能制御部
【先行技術文献】
【特許文献】
【０１００】
【特許文献１】特開２０１４−１４２８１８号公報
【図１】
2016210049.tif 000003
【図３】
2016210049.tif 000004
【図４】
2016210049.tif 000005
【図５】
2016210049.tif 000006
【図６】
2016210049.tif 000007
【図７】
2016210049.tif 000008
【図８】
2016210049.tif 000009
【図９】
2016210049.tif 000010
【図１０】
2016210049.tif 000011
【図１１】
2016210049.tif 000012
【図２】
2016210049.tif 000013